(57)【要約】【課題】旅行鞄、ショッピングカート等運搬車、テーブル椅子キャスター使用の家具等、傾斜地、乗物の中等、停止状態の不安定を取り除く必要がある。又、物を動かす状態から、動かさない状態を作りたい時、人手でもちあげられるくらいのキャスター移動の棚等を所定の位置で固定したい時。【解決手段】ストッパー機構を内蔵したキャスター２箇所又は、２箇所以上品物に取り付け、品物の片方又は全部手で持ち上げ、キャスターの車輪に無負荷状態を作りキャスターの出し入れを切換え、一度キャスターの車輪を接地させキャスター走行させもう一度持ち上げ下ろせばキャスターの外周裏面と車輪が接触し、加重加圧で品物は固定される。キャスターに手を触れることなく取り付けた品物の上げ下げで、交互に走行、固定を切換え問題を解決しょうとするものである。【選択図】図１
2007331561.tif 000002
【特許請求の範囲】
【請求項１】
キャスター台座外装体内部は略円筒状に、空洞であり、上部には蓋をするように固定ブロック付きプレートが固着されていて、その下には常時バネで押された車輪用フレームと同軸の段換え用ブロックが有り、車輪の出し入れによってそれが回転、上下することによって交互に段切換えが出来るよう、車輪に負荷、無荷重状態の切換えで、キャスターが旋回自在走行できたり、外装体下部裏面と車輪とがキャスターを取り付けている品物の荷重によって固定される機構を特徴としたキャスター及び固定方法。
【請求項２】
上記のキャスター本体外装体下部の裏面をキャスターの車輪ではなく、直接接地できるよう、キャスターを外装体の奥深く内蔵し、ブロックの段切換えによってキャスター使用の品物の走行、外装体の裏面が直接接地され搬送車や、キャスター使用の品物が固定できる、請求項１記載のキャスター及び固定方法。
【発明の詳細な説明】
【技術分野】
【０００１】
本発明は、キャスター付きの鞄、ショピングカートなどの搬送車、椅子、テーブル等のキャスター付き生活用品の停止時の、確実な安定性を得るためのキャスターストッパー及びキャスター付き品物の固定方法に関するものである。
【背景技術】
【０００２】
従来のキャスターのストッパーは、車輪の側周をレバーで加圧する方法や、車輪の外周をキャスター内蔵又は外付けの機構を通してレバーで加圧する方法が主である。
キャスターの車輪を固定するには、手か足でレバーやハンドル操作で行っている。
【発明の開示】
【発明が解決しようとする課題】
【０００３】
比較的に軽い、片方が手で持ち上げられるような棚とかテーブル等キャスター付きの品物で身を屈めてストッパー操作しなくてはならず難儀である。又は足でレバー操作するのもあるがキャスターの停止した時の車輪の角度によっては操作しずらい時もある。又は旅行鞄などのように瞬時に固定したい時などである。
【０００４】
大きな植木鉢とか、家具の様に移動させて確実に固定しておきたい時などである。
【課題を解決するための手段】
【０００５】
本発明は、キャスター本体内蔵の段切換え機構を用いて車輪を出し入れして、車輪にキャスターを取り付けている品物の荷重をかけ荷重摩擦で車輪を固定する。
又は段切換え機構によって机などの脚にキャスターを内蔵し、机を手で持ち上げ下ろせば車輪が出て机の移動が出来、もう一度持ち上げて下ろせば車輪が引っ込み普通の机として使える。キャスターに手で触れることなく取り付けている品物の上下動作で車輪走行、ストッパー状態を交互に素早く切換えできることを主な特徴とする。
【発明の効果】
【０００６】
本発明のキャスターは、構造が簡単で外観大きさも、従来のものと大きく変わらず違和感無く使用できる。用途は幅広くショッピングカート等軽搬送車類、キャスター付き鞄等を移動停止固定。又、テーブル等の日用家具の脚部に使用して平坦な所であれば、一人でも移動させ設置できる。キャスターに手で触れることなくそれが瞬時に出来るという利点がある。
【発明を実施するための最良の形態】
【０００７】
以下、本発明の実施例を図面にもとづいて説明する。
図１は本発明のキャスターの台座取り付け部を省略した車輪に無負荷時の横断面平面図である。車輪は断面してない。図４は本発明のキャスターの平面図である。
【０００８】
台座外装体１の中には略垂直に円筒状に空洞になっていて、その内壁にはスライドピン付き上歯車５のスライドピン１３がスムーズに摺動できるよう、回転用溝I、上下スライド用溝Jが一体でここではこのスライドピンガイド用溝１６が４個所ある。
【０００９】
この溝の上に開口部が有り、ピンを合わせてスライドピン付き上歯車を挿入する。その下にはベアリング等の摺動部１５があり、それを挟むように車輪用フレーム３側から倒れ防止旋回軸６を通して固定用金具４で連結固定してある。この固定の方法は図９の様に上から倒れ防止旋回軸６を通して下側をカシメ固定してもよい。
【００１０】
倒れ防止旋回軸６には上部にある圧縮バネ９と段切換え用平歯車７が通してあり、歯車の下部には鋸歯形の段切換え用上歯車Fに噛み合うように、段切換え用下歯車Eが設けてある。又、その上部には円周付近に等角度、等間隔で段切換え用ブロックCが固定されている。上部には軸受けとブロックの間に圧縮バネ９のスペースが設けてある。
【００１１】
段切換え用平歯車７の外周の歯は鋸歯形でその歯に噛み合うように、キャスター台座外装体１内の周壁より少し出たツメ用板バネ１０が固着されている。キャスターを上から見て、歯車が左回転のみするようにし、段切換えブロックCの位置を換えられるようにしたものである。ここではツメ用板バネ１０は一箇所であるが二箇所以上設けても良い。
【００１２】
倒れ防止旋回軸６先端部には軸受け兼用、キャスターに荷重が掛かった時に車輪用フレーム３が傾かないよう車輪が上下しても抜けないようなガイドが上部プレート中央に設けてある。この倒れ防止付きプレート２は台座外装体１にはめ込むように固着されている。このガイド外周には圧縮バネ９があり、その外周には等角度、等間隔で下の段切換え用ブロックCと凸と凹で噛み合うよう
固定ブロックAが設けてある。ここでは段切換え用ブロックの数は下は4個、上が4個であり間隙を設けている。この固定ブロック、段切換えブロックはそれぞれ軸を中心に８等分してあって１個飛ばしに設けてある。
【００１３】
キャスターの車輪が無負荷のときは内壁に設けた４個所のスライドガイド溝一杯までピンが下がっていて、固定ブロックAと段切換え用ブロックCは分離している。この時固定用ブロックの真下に段切換え用ブロックが有るか、図７の様に固定ブロックと固定ブロックの間の真下に段切換え用ブロックがあるかどちらかである。
【００１４】
図２の様にキャスター走行状態を作るには車輪が接地される時、段切換え用下歯車E、段切換え用上歯車Fの噛み合わせで、段切換え用平歯車７は略ブロック一個分左に回転上昇して固定ブロックと段切換え用ブロックが積まれた状態で合わさる。ツメ用板バネ１０と鋭角平歯Dによって段切換え用ブロックは固定される。これでキャスターは使用可能となる
【００１５】
キャスター使用後固定したい時、キャスター取り付けの品物を一度手で持ち上げて下ろせば、本体外周下部G裏面とキャスター車輪とが直接強く接触し固定される。又は、テーブルの脚等に内蔵の場合は脚の裏面が直接接地される。
【００１６】
手で持ち上げる時、倒れ防止付きプレート２にはガイドを取り巻く様に圧縮バネ９が有り、旋回できるブロックを設けている段切換え用平歯車７の下歯車と、スライドピン付き上歯車５が噛み合ったまま、バネの推力でスライドピン１３は略垂直にある上下スライド用溝を下降し、この時段切換え用平歯車７の鋭角平歯Dはツメ用板バネ１０に沿って下降し段切換え用平歯車７は回転せず、アールで滑らかに繋がっている回転用溝Iに沿って段切換えのブロック１個分回転し下降するとき、段切換え用下歯から、波打つ様に滑り上歯が右回転に移動しブロックの段切換えが行われる。
【００１７】
再びキャスターの車輪を接地させる時、先の手順の逆で段切換え用平歯車７を圧縮バネで押さえつけられているので、上歯下歯噛み合ったまま左に回転し上昇する。この時固定ブロックと固定ブロックの間に段切換え用ブロックが奥まではまり込みキャスターの車輪に本体外装体下部裏面で荷重をかけキャスター付きの品物は固定される。
【００１８】
図８の実施例は、細い角材やパイプ等に脚として、ネジ込んだり，押し込んだりするものである。
【産業上の利用可能性】
【００１９】
旅行鞄の揺れ止めとして、ショッピングカート等の搬送車類、テーブルとか椅子など手で持ち上げられる物でキャスターに触れることなく、ワンタッチで走行と固定が切換えが出来るので用途は幅広い。
【図面の簡単な説明】
【００２０】
【図１】キャスターの車輪が無負荷の時の横断断面正面図。
【図２】キャスターの車輪使用時の横断断面正面図。
【図３】キャスターの車輪を固定した時の横断断面正面図。
【図４】キャスター平面図。
【図５】キャスター側面図。
【図６】キャスター一部分解図。
【図７】キャスター段切換え部の一部詳細図。
【図８】キャスターの取り付け方を示した正面図。 実施例２
【図９】回転軸部断面正面図。
【００２１】
１  台座外装体
２  倒れ防止付きプレート
３  車輪用フレーム
４  固定用金具
５  スライドピン付き上歯車
６  倒れ防止旋回軸
７  段切換え用平歯車
８  板バネ固定部
９  圧縮バネ
１０  ツメ用板バネ
１１  車輪
１２  車軸
１３  スライドピン
１４  キャスター本体固定部
１５  摺動部
１６  スライドピンガイド用溝
１７  支軸
A  固定ブロック
B  固定ブロック
C  段切換え用ブロック
D  鋭角平歯
E  段切換え用下歯車
F  段切換え用上歯車
G  本体外周下部
H  ツメ部
I  回転用溝
J  上下スライド用溝  
K  倒れ防止用ガイド
L  カシメ部
M  内壁段差
【図１】
2007331561.tif 000003
【図２】
2007331561.tif 000004
【図３】
2007331561.tif 000005
【図４】
2007331561.tif 000006
【図５】
2007331561.tif 000007
【図６】
2007331561.tif 000008
【図７】
2007331561.tif 000009
【図８】
2007331561.tif 000010
【図９】
2007331561.tif 000011
【手続補正書】
【提出日】平成18年10月2日(2006.10.2)
【手続補正１】
【補正対象書類名】特許請求の範囲
【補正対象項目名】全文
【補正方法】変更
【補正の内容】
【特許請求の範囲】
【請求項１】
キャスター台座外装体内部は略円筒状に、空洞であり、上部には蓋をするように
固定ブロック付きプレートが固着されていて、その下には常時バネで押された車輪用フレームの旋回軸と同軸の段換え用ブロックが有り、該段換え用ブロックの下方にスライドピン付き上歯車を有するキャスターであって、前記固定ブロック付きプレートに設けられた固定ブロックは、前記段換え用ブロックが嵌合し得る間隔で、複数円周方向に配列されており、前記段換え用ブロックは、前記固定ブロック付きプレートに対し、上下移動可能でかつ、一定方向に回転可能であり、前記固定ブロックと嵌合し得る間隔で複数円周方向に配列されており、前記スライドピン付き上歯車は、前記段換え用ブロックに対し回転可能で外周面にスライドピンを有し、該スライドピンは前記外装体内壁面に設けた、上下スライド用溝と回転用溝が連続してなるスライドピンガイド用溝内を摺動し、キャスター台座外装体内を車輪の出し入れによってそれが回転、上下することによって交互に段換えが出来るよう、外装体の下端と車輪外周とが接触、非接触に交互に可能で車輪に負荷、無加重状態の切換えで、キャスターが旋回自在走行できたり、外装体下部裏面と車輪とがキャスターを取り付けている品物の荷重によって固定される機構を特徴としたキャスターである。
【請求項２】
上記のキャスター本体外装体下部の裏面をキャスターの車輪ではなく、直接接地できるよう、キャスターを外装体の奥深く内蔵し、ブロックの段換えによってキャスター使用の品物が固定できる請求項１記載のキャスターである。
【手続補正３】
【補正対象書類名】明細書
【補正対象項目名】０００１
【補正方法】変更
【補正の内容】
【０００１】
本発明は、キャスター付きの鞄、ショッピングカートなどの搬送車、椅子、テーブル等のキャスター付き生活用品の停止時の、確実な安定性を得るためのキャスターストッパーに関するものである。
【手続補正４】
【補正対象書類名】明細書
【補正対象項目名】０００７
【補正方法】変更
【補正の内容】
【０００７】
以下、本発明の実施例を図面にもとずいて説明する。
図１は本発明のキャスターの台座取り付け部を省略した車輪に無負荷時の横断面正面図である。車輪は断面していない。図４は本発明のキャスターの平面図である。
【手続補正書】
【提出日】平成19年3月26日(2007.3.26)
【手続補正１】
【補正対象書類名】特許請求の範囲
【補正対象項目名】全文
【補正方法】変更
【補正の内容】
【特許請求の範囲】
【請求項１】
キャスター台座外装体内部は略円筒状に、空洞であり、上部には蓋をするように固定ブロック付きプレートが固着されていて、その下には常時バネで押された車輪用フレームの旋回軸と同軸の段換え用ブロックが有り、該段換え用ブロックの下方にスライドピン付き上歯車を有するキャスターであって、前記固定ブロック付きプレートに設けられた固定ブロックは、前記段換え用ブロックが嵌合し得る間隔で、複数円周方向に配列されており、前記段換え用ブロックは、前記固定ブロック付きプレートに対し、上下移動可能でかつ、一定方向に回転可能であり、前記固定ブロックと嵌合し得る間隔で複数円周方向に配列されており、前記スライドピン付き上歯車は、前記段換え用ブロックに対し回転可能で外周面にスライドピンを有し、該スライドピンは前記外装体内壁面に設けた、上下スライド用溝と回転用溝が連続してなるスライドピンガイド用溝内を摺動し、キャスター台座外装体内を車輪の出し入れによって常時バネで押された段換え用ブロック付下歯車とスライドピン付上歯車が回転、上下することによって交互に、キャスター外装体上部のプレートに有る固定用ブロックの真下に平歯車、下歯車と一体の段換え用ブロックが有る状態と、固定ブロックと固定ブロックの間の真下に段換え用ブロックが有る状態の切換えでブロックの段差分位置が変わり段換えが出来、キャスター外装体との車輪の出し入れで、キャスター本体外装体の下端と車輪外周とが接触、非接触と交互に可能で車輪外周に負荷、無負荷状態の切換えで、キャスターが旋回自在走行できたり、外装体下部裏面と車輪外周とがキャスターを取り付けている品物の荷重によって固定される機構を特徴としたキャスターである。
【請求項２】
上記キャスターの車輪外周に無負荷状態の時、本体外装体下部が、フロアー等に直接接地できるように、キャスターを外装体の奥深く内蔵し、外からキャスターがキャスター台座外装体で覆われて見えない状態にして、ブロックの段換えによって車輪外周に負荷の状態の時、キャスター本体外装体下部より、車輪が出ている状態で本キャスター使用の品物の走行、ブロックの段換えによって外装体の裏面が直接接地され搬送車や、本キャスター使用の品物が固定できる、請求項１記載のキャスターである。
【手続補正２】
【補正対象書類名】明細書
【補正対象項目名】０００２
【補正方法】変更
【補正の内容】
【０００２】
従来のキャスターのストッパーは、車輪の側周をレバーで加圧する方法や、車輪の外周をキャスター内蔵又は外付けの機構を通してレバーで加圧する方法が主である。キャスターの車輪を固定するには、手か足でレバーやハンドル操作で行っている。又、キャスターを取り付けた品物を上下して固定するものもある。なお、関連する文献としては、特開２０００−０３３０１８号公報が存在する。
【手続補正３】
【補正対象書類名】明細書
【補正対象項目名】００１１
【補正方法】変更
【補正の内容】
【００１１】
段切換え用平歯車７の外周の歯は鋸歯形でその歯に噛み合うように、キャスター台座外装体１内の周壁より少し出たツメ用板バネ１０が周壁に固着されている。キャスターを上から見て、ブロック付段切換え用平歯車７が左回転のみするようにし、段切換えブロックCの位置を換えれるようにしたものである。ここではツメ用板バネ１０は一箇所であるが二箇所以上設けても良い。
【手続補正４】
【補正対象書類名】明細書
【補正対象項目名】００１２
【補正方法】変更
【補正の内容】
【００１２】
倒れ防止旋回軸６先端部には軸受け兼用、キャスターに荷重がかかった時に車輪用フレーム３が傾かないよう車輪が上下しても抜けないような倒れ防止用ガイドＫが上部プレート中央に設けてある。この倒れ防止付きプレート２は台座外装体１にはめ込むように固着されている。このガイドＫ外周には圧縮バネ９があり、その外周には等角度、等間隔で下の段切換え用ブロックCと凸と凹で噛み合うよう固定ブロックAが設けてある。ここでは段切換え用ブロックの数は下は4個、上が4個であり間隙を設けている。この固定ブロック、段切換えブロックはそれぞれ軸を中心に８等分してあって１個飛ばしに設けてある。
【手続補正５】
【補正対象書類名】明細書
【補正対象項目名】００１３
【補正方法】変更
【補正の内容】
【００１３】
図１のようにキャスターをフロアーから浮かした時のように、車輪１１が無負荷の時は圧縮バネ９の推力で、外装体１の空洞内壁に設けた４個所のスライドガイド用溝１６に沿ってスライドピン付上歯車５が、キャスターを上から見てブロック１個分ここでは八分の１回転右に回転しながら溝一杯まで下がって、固定ブロックＡと段切換え用ブロックＣは分離している。本発明の説明では、キャスターに負荷、無負荷ではなく車輪外周１１と相対するキャスター外装体下端Ｇとの関係で負荷、無負荷の言葉を使用する。このとき車輪１１に対して無負荷の状態の時は、固定用ブロックＡの真下に段切換え用ブロックＣが有る状態、負荷の状態は図７の様に固定ブロックＡと固定ブロックＢの間の真下に段切換え用ブロックＣが有り勘合した状態である。
【手続補正６】
【補正対象書類名】明細書
【補正対象項目名】００１４
【補正方法】変更
【補正の内容】
【００１４】
図２の様にキャスター走行状態を作るには車輪１１を接地させる時、段換え用ブロック付鋭角下歯車E、スライドピン付段換え用鋭角上歯車Fの歯の噛み合わせで、段切換え用下歯車Ｅと一体の鋭角平歯車７は、キャスターを上から見て左にブロック一個分回転する様に板バネ１０のツメの部分を鋭角平歯車７の歯Ｄの谷の部分に軽く当て、逆回転しないようにしっかり固定する。又、段換え用ブロックＣが鋭角平歯Ｄに沿って垂直に上下出来るように、板バネ１０のツメを垂直に長く取り付ける。固定用ブロックＡの真下に段換え用ブロックＣが有る状態の時に、車輪外周１１に対して外装体１の下端が当っていない無荷重状態では略ブロック一個分段換え用ブロックＣが、左に回転上昇して固定ブロックＡと段切換え用ブロックＣが積まれ、ブロック同士が合わさりここに荷重が掛かりこの状態と、ツメ用板バネ１０と鋭角平歯Dによって段切換え用ブロックは固定されキャスターは使用可能となる。
【手続補正７】
【補正対象書類名】明細書
【補正対象項目名】００１５
【補正方法】変更
【補正の内容】
【００１５】
図３の様にキャスター走行で使用後車輪１１を固定したい時、キャスター取り付けの品物を一度手で持ち上げて下ろせば、本体外周下部G裏面とキャスターの車輪外周１１とが直接強く荷重圧で接触し固定される。この時段換え用ブロックＣは固定ブロックＡと固定ブロックＢの間に有り、勘合した状態であり、スライドピン付上歯車５スライドピン１３は、上下スライド用溝の途中位置にある。又、テーブルの脚等に内蔵の場合は脚の裏面が直接接地し固定される。
【手続補正８】
【補正対象書類名】明細書
【補正対象項目名】００１６
【補正方法】変更
【補正の内容】
【００１６】
本発明のキャスターを取り付けた品物を手で持ち上げる時、倒れ防止付きプレート２にはガイドＫを取り巻く様に圧縮バネ９が有り、旋回できるブロックを設けている段切換え用鋭角平歯車７の鋭角下歯車Ｅと、スライドピン付き鋭角上歯車５の歯が噛み合ったまま、バネ９の推力でスライドピン１３は略垂直にある上下スライド用溝Ｊを下降し、この時段切換え用ブロック付平歯車７の鋭角平歯Dはツメ用板バネ１０の長いツメに沿って略垂直に下降し、キャスターの旋回軸６を持った鋭角上歯車Ｆだけアールで滑らかに繋がっている回転用溝Ｉにスライドピン１３が滑るように沿って段切換えのブロックＣ、１個分キャスターを上から見て右へ回転する。前記、段換え用ブロック付鋭角平歯７と一体の鋭角下歯車Ｅは、図７の様に共に左に回転し、回転方向に対して後高の鋭角歯を持ち尚、鋭角平歯Ｄには左にしか回転しないようストッパー用板バネ１０が施してある。段換え用ブロック付下歯車Ｅは左回転と上下移動はする。下歯車Ｅに勘合するように設けられたスライドピン付鋭角上歯車Ｆは相反し、左回転する時は前高の鋭角歯を持ち、スライドピン１３が回転溝Ｉの最下降部から上昇する時、鋭角下歯Ｅと勘合したまま左に回転しながら上昇する。逆に、固定ブロックＡと段換えブロックＣが垂直に離れる時は、圧縮バネ９で押さえられた鋭角下歯車Ｅ、鋭角上歯車Ｆ勘合したまま下降し、スライドピン１３が回転用溝Ｉに来た時、段換え用ブロック付鋭角下歯車Ｅは、圧縮バネ９で一緒に下降はするが板バネ１０のストッパーで回転しない。鋭角上歯車Ｆはピンが回転用溝Ｉに沿って、略ブロック一個分下の鋭角歯と、上の鋭角歯が回転するとき共に谷から山へ当り、滑りながら下降し、段換え用下歯車Ｅに対し段換え用上歯車Ｆはブロック一個分歯の噛合わせ位置が変わりブロックの段換えが行われる。
【手続補正９】
【補正対象書類名】明細書
【補正対象項目名】００１７
【補正方法】変更
【補正の内容】
【００１７】
再びキャスターの車輪１１を接地させる時、先の手順の逆で段切換え用平歯車７を圧縮バネ９で押さえつけられているので、鋭角上歯Ｅ鋭角下歯Ｅ噛み合ったまま左に回転し上昇する。この時固定ブロックＡと固定ブロックＢの間に段切換え用ブロックＣが奥まではまり込みキャスター付の品物の荷重がキャスター本体外装体下部裏面Ｇを通して車輪外周１１に強く接触し、それぞれの車輪は固定され本発明のキャスター付きの品物は固定される。
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
キャスター台座外装体内部は略円筒状に、空洞であり、上部には蓋をするように固定ブロック付きプレートが固着されていて、その下には常時バネで押された車輪用フレームの旋回軸と同軸の段換え用ブロックが有り、該段換え用ブロックの下方にスライドピン付き上歯車を有するキャスターであって、前記固定ブロック付きプレートに設けられた固定ブロックは、前記段換え用ブロックが嵌合し得る間隔で、複数円周方向に配列されており、前記段換え用ブロックは、前記固定ブロック付きプレートに対し、上下移動可能でかつ、一定方向に回転可能であり、前記固定ブロックと嵌合し得る間隔で複数円周方向に配列されており、前記スライドピン付き上歯車は、前記段換え用ブロックに対し回転可能で外周面にスライドピンを有し、該スライドピンは前記外装体内壁面に設けた、上下スライド用溝と回転用溝が連続してなるスライドピンガイド用溝内を摺動し、キャスター台座外装体内を車輪の出し入れによって常時バネで押された段換え用ブロック付下歯車とスライドピン付上歯車が回転、上下することによって交互に、キャスター外装体上部のプレートに有る固定用ブロックの真下に平歯車、下歯車と一体の段換え用ブロックが有る状態と、固定ブロックと固定ブロックの間の真下に段換え用ブロックが有る状態の切換えでブロックの段差分位置が変わり段換えが出来、キャスター外装体との車輪の出し入れで、キャスター本体外装体の下端と車輪外周とが接触、非接触と交互に切換わり、キャスターが旋回自在走行できたり、外装体下部裏面と車輪外周とが、キャスターを取り付けている品物の荷重によって、固定される機構を特徴としたキャスター。
【請求項２】
本キャスター台座外装体、上部に有る固定ブロック付きプレートの、固定ブロックと固定ブロックの間の真下に、段換え用ブロックが、有る状態で嵌合している時、本体外装体の奥深くキャスターを内蔵し、外からキャスターは、キャスター台座外装体で覆われて見えず、本体外装体下部が、フロアー等に直接接地され、この時、本体外装体内のキャスターの車輪がフロアー等を押す力は、本体外装体下部裏面が、本キャスター取り付け使用の品物に、荷物を載せていないときに受ける力より小さく、台座外装体内の圧縮バネ等の小さい力で、フロアー等に接地し、本体外装体下部裏面とフロアー間が隙間無く、搬送車や、本キャスター使用の品物が固定され、又、ブロックの段換えによって固定ブロックと段換えブロック同士が積まれ、略ブロックの高さ分位置が変わり、キャスター本体外装体下部より、車輪が露出して，フロアー等を本キャスター使用の品物の走行ができ、ブロックの段換えによって本キャスター使用の品物の固定、走行が、交互に繰り返し出来ることを特徴とするキャスター。
【手続補正２】
【補正対象書類名】明細書
【補正対象項目名】００１３
【補正方法】変更
【補正の内容】
【００１３】
図１のようにキャスターをフロアーから浮かした時のように、車輪１１が無負荷の時は圧縮バネ９の推力で、外装体１の空洞内壁に設けた４個所のスライドガイド用溝１６に沿ってスライドピン付上歯車５が、キャスターを上から見てブロック１個分ここでは八分の一回転右に回転しながら溝一杯まで下がって、固定ブロックＡと段切換え用ブロックＣは分離している。このとき、車輪外周１１に対してキャスター外装体下端Ｇは非接触で、図７のように、固定ブロックＡと固定ブロックＢの間の真下に段切換え用ブロックＣが在り、図３のように、嵌合している時、車輪外周１１と相対するキャスター外装体下端Ｇは、接触状態である。
【手続補正書】
【提出日】平成19年8月20日(2007.8.20)
【手続補正１】
【補正対象書類名】特許請求の範囲
【補正対象項目名】全文
【補正方法】変更
【補正の内容】
【特許請求の範囲】
【請求項１】
キャスター台座外装体内部は略円筒状に、空洞であり、上部には蓋をするように固定ブロック付きプレートが固着されていて、その下には常時バネで押された車輪用フレームの旋回軸と同軸の段換え用ブロックが有り、該段換え用ブロックの下方にスライドピン付き上歯車を有するキャスターであって、前記固定ブロック付きプレートに設けられた固定ブロックは、前記段換え用ブロックが嵌合し得る間隔で、複数円周方向に配列されており、前記段換え用ブロックは、前記固定ブロック付きプレートに対し、上下移動可能でかつ、一定方向に回転可能であり、前記固定ブロックと嵌合し得る間隔で複数円周方向に配列されており、前記スライドピン付き上歯車は、前記段換え用ブロックに対し回転可能で外周面にスライドピンを有し、該スライドピンは前記外装体内壁面に設けた、上下スライド用溝と回転用溝が連続してなるスライドピンガイド用溝内を摺動し、キャスター台座外装体内を車輪の出し入れによって常時バネで押された段換え用ブロック付下歯車とスライドピン付上歯車が回転、上下することによって交互に、キャスター外装体上部のプレートに有る固定用ブロックの真下に平歯車、下歯車と一体の段換え用ブロックが有る状態と、固定ブロックと固定ブロックの間の真下に段換え用ブロックが有る状態の切換えでブロックの段差分位置が変わり段換えが出来、キャスター外装体との車輪の出し入れで、キャスター本体外装体の下端と車輪外周とが接触、非接触と交互に切換わり、キャスターが旋回自在走行できたり、外装体下部裏面と車輪外周とが、キャスターを取り付けている品物の荷重によって、固定される機構を特徴としたキャスター。